(57)【要約】【課題】コンパクト化を図り、持ち運びに便利なエアコン洗浄用カバーを提供する。【解決手段】エアコンＡに被せ洗浄剤の飛散を防止するカバーで、前片４ａ，上片４ｂ，下片４ｃで略コ字状に構成され、上側コーナー部及び下側コーナー部を蝶番５ａ，５ｂを介して開口部を開閉自在としたコ字状枠片４を二つ左右に並列設し、上片端部間に、エアコン後端上部に接する上懸架片６を懸架し、下片４ｃ端部間に、エアコン後端下部又は底面に接する下懸架片７を懸架して枠体３を形成し、枠体３を、後面を除いて透明のビニールシート８で覆い、ビニールシートの前面に洗浄窓９を、下面に排出口１０を設けてカバー本体２を形成し、左右上片４ｂの端部寄りの部位と左右下片４ｃの端部寄りの部位とをそれぞれ連結する連結部材１２，１３を設け、蝶番５ａ，５ｂを介して上片４ｂ及び下片４ｃを前片４ａに対して開口部を小さくする内側に向けて折りたたみ可能とした。【選択図】図１
2008151365.tif 000002
【特許請求の範囲】
【請求項１】
壁等に取付けられたエアコンを洗浄する際に、そのエアコンに被せて使用し、洗浄剤の飛散を防止するカバーであって、
前片と上片と下片とで略コ字状に構成され、前記前片と上片との上側コーナー部及び前記前片と下片との下側コーナー部をそれぞれ蝶番を介して略コ字状の開口部を開閉自在としたコ字状枠片を二つ一定間隔を開けて左右に並列設し、二つのコ字状枠片の上片端部間に、エアコンの壁側に位置する後端上部に接する上懸架片を懸架し、かつ二つのコ字状枠片の下片端部間に、エアコンの後端下部又は底面に接する下懸架片を懸架して枠体を形成し、
該枠体を、その開口部側である後面を除いて透明のビニールシートで覆い、ビニールシートの前面に洗浄窓を設けると共に下面に排出口を設けてカバー本体を形成し、
前記左右上片の前記端部寄りの部位と前記左右下片の前記端部寄りの部位とをそれぞれ連結して、前記略コ字状の開口部を所定の開度で保持する連結部材を設け、
前記蝶番を介して前記上片及び下片を前記前片に対して前記開口部を小さくする内側に向けて折りたたみ可能としたことを特徴とするエアコン洗浄用カバー。
【請求項２】
前記上片及び下片の長さを前記前片の長さよりも小さくしたことを特徴とする請求項１に記載のエアコン洗浄用カバー。
【請求項３】
前記連結部材を、前記上片から垂下設され、紐本体に留め部が設けられた係止紐片と、前記下片に設けられ、前記留め部を係止する孔が前記下片の延びる方向に複数形成された留め具とで構成したことを特徴とする請求項１又は２に記載のエアコン洗浄用カバー。
【請求項４】
前記連結部材の係止紐片はゴム紐からなるとともに、前記留め具は前記下片の下面に固定された上壁部と、下壁部と、上下壁部を連結する側壁部からなり開口部が内側に向けて形成された断面略コ字状で、前記留め部を係止する孔は、前記下壁部から前記側壁部にかけて略Ｌ字状に切り欠いて形成され、しかも前記下片の延びる方向に所定間隔で複数形成されてなることを特徴とする請求項３に記載のエアコン洗浄用カバー。
【請求項５】
前記二つのコ字状枠片間において、前記上側コーナー部寄りの部位を連結する支持片を設けたことを特徴とする請求項１乃至４のうちいずれか一つに記載のエアコン洗浄用カバー。
【請求項６】
前記カバー本体の上面に、開閉自在の第２洗浄窓を設けたことを特徴とする請求項１乃至５のうちいずれか一つに記載のエアコン洗浄用カバー。
【請求項７】
前記下懸架片の下面に沿って延びるとともに両端部が、前記下懸架片の両端部に固着されたチューブ状ゴム材を設けたことを特徴とする請求項１乃至６のうちいずれか一つに記載のエアコン洗浄用カバー。
【発明の詳細な説明】
【技術分野】
【０００１】
本発明は、エアコンの内部を壁等に取付けたままの状態で洗浄する際に、洗浄液の飛散を防止するためにエアコンに被せるようにして使用する洗浄カバーに関するものである。
【背景技術】
【０００２】
従来、壁等に取付けられたエアコンの内部を、当該壁等から取外すことなく洗浄することを可能とするために、そのエアコンに被せる洗浄シートが創案されている（例えば、特許文献１）。この洗浄シート３０は、図６に示すように、前面に作業窓３１を有すると共に、後面に、エアコンＡに被せるための解放部３２を有し、さらに底面に排出穴３３を備えている。そして、後面解放部３２に沿って紐３４が取付けられ、当該紐３４を引っ張ることによって後面解放部３２を絞り、エアコンＡの後端部に当接させ、これによって、洗浄液が洗浄シート３０内から漏れ出るのを防止することとしている。
【特許文献１】実公平７−３７０６９号公報
【０００３】
しかし、この従来のエアコン洗浄シート３０にあっては、後面解放部３２から洗浄液が漏れ出てしまい、周囲を汚してしまい易いといった問題がある。すなわち、この後面解放部３２は紐３４によって絞られ、エアコンＡの後端部に当接するように工夫されてはいるものの、紐３４によって絞られた後面解放部３２は凸凹状となるため、エアコンＡの後端部に密着させることができない。
そのため、後面解放部３２とエアコンＡ後端部との間に形成される多くの間隙から洗浄液が漏れ出てしまうことになる。
また、当該従来のエアコン洗浄シート３０にあっては、その作業窓３１を単にシートに孔を穿設して形成したものであるため、当該作業窓３１からも洗浄液が周囲に飛散したり漏出するといった問題もある。
そのため、この洗浄シート３０を使用してエアコンＡを洗浄するに際しては、当該洗浄シート３０の他にカバーシート３５を壁に沿って設けることとしている。従って、カバーシート３５の取付けおよび取外し作業を余分に必要とし、作業性が悪いといった問題を有している。
【０００４】
そこで、本出願人は、これらの問題を解決すべく、後面解放部を含むあらゆる部分から洗浄液が漏れ出ることを防止するとともに、余分なカバーシートを不要とした作業性に優れるエアコン洗浄用カバーを提供した（特許文献２）。
【特許文献２】特許第３４８７４１７号公報
【発明の開示】
【発明が解決しようとする課題】
【０００５】
しかしながら、特許文献２に記載されたエアコン洗浄用カバーは、洗浄液が漏れ出ることを防止するといった機能には優れるものの、持ち運びに不敏なところがある。
また、エアコンに対するエアコン洗浄用カバーの取付けを密着度を高めるようにさらに強度のものとして作業性を一層向上させたいとの要望もある。
【０００６】
そこで、本発明の目的とするところは、コンパクト化を図り、持ち運びに便利なエアコン洗浄用カバーを提供することにある。
また、本発明の他の目的は、エアコン洗浄用カバーの取付けをさらに強度のものとして作業性を一層向上させることにある。
【課題を解決するための手段】
【０００７】
上記の目的を達成するために、本発明の請求項１に記載のエアコン洗浄用カバー（１）は、壁等に取付けられたエアコン（Ａ）を洗浄する際に、そのエアコン（Ａ）に被せて使用し、洗浄剤の飛散を防止するカバーであって、
前片（４ａ）と上片（４ｂ）と下片（４ｃ）とで略コ字状に構成され、前記前片（４ａ）と上片（４ｂ）との上側コーナー部及び前記前片（４ａ）と下片（４ｃ）との下側コーナー部をそれぞれ蝶番（５ａ，５ｂ）を介して略コ字状の開口部を開閉自在としたコ字状枠片（４）を二つ一定間隔を開けて左右に並列設し、二つのコ字状枠片（４）の上片（４ｂ）端部間に、エアコン（Ａ）の壁側に位置する後端上部に接する上懸架片（６）を懸架し、かつ二つのコ字状枠片（４）の下片（４ｃ）端部間に、エアコン（Ａ）の後端下部又は底面に接する下懸架片（７）を懸架して枠体（３）を形成し、
該枠体（３）を、その開口部側である後面を除いて透明のビニールシート（８）で覆い、ビニールシート（８）の前面に洗浄窓（９）を設けると共に下面に排出口（１０）を設けてカバー本体（２）を形成し、
前記左右上片（４ｂ）の前記端部寄りの部位と前記左右下片（４ｃ）の前記端部寄りの部位とをそれぞれ連結して、前記略コ字状の開口部を所定の開度で保持する連結部材（１２，１３）を設け、
前記蝶番（５ａ，５ｂ）を介して前記上片（４ｂ）及び下片（４ｃ）を前記前片（４ａ）に対して前記開口部を小さくする内側に向けて折りたたみ可能としたことを特徴とする。
【０００８】
また、請求項２に記載のエアコン洗浄用カバー（１）は、前記上片（４ｂ）及び下片（４ｃ）の長さを前記前片（４ａ）の長さよりも小さくしたことを特徴とする。
【０００９】
さらに、請求項３に記載のエアコン洗浄用カバー（１）は、前記連結部材（１２，１３）を、前記上片（４ｂ）から垂下設され、紐本体（１２ａ）に留め部（１２ｂ）が設けられた係止紐片（１２）と、前記下片（４ｃ）に設けられ、前記留め部（１２ｂ）を係止する孔（１３ａ）が前記下片（４ｃ）の延びる方向に複数形成された留め具（１３）とで構成したことを特徴とする。
【００１０】
また、請求項４に記載のエアコン洗浄用カバー（１）は、前記連結部材（１２，１３）の係止紐片（１２）はゴム紐からなるとともに、前記留め具（１３）は前記下片（４ｃ）の下面に固定された上壁部（１３ｂ）と、下壁部（１３ｄ）と、上下壁部（１３ｂ，１３ｄ）を連結する側壁部（１３ｃ）からなり開口部が内側に向けて形成された断面略コ字状で、前記留め部（１２ｂ）を係止する孔（１３ａ）は、前記下壁部（１３ｄ）から前記側壁部（１３ｃ）にかけて略Ｌ字状に切り欠いて形成され、しかも前記下片（４ｃ）の延びる方向に所定間隔で複数形成されてなることを特徴とする。
【００１１】
また、請求項５に記載のエアコン洗浄用カバー（１）は、前記二つのコ字状枠片（４）間において、前記上側コーナー部寄りの部位を連結する支持片（１５，１６）を設けたことを特徴とする。
【００１２】
また、請求項６に記載のエアコン洗浄用カバー（１）は、前記カバー本体（２）の上面に、開閉自在の第２洗浄窓（１９）を設けたことを特徴とする。
【００１３】
また、請求項７に記載のエアコン洗浄用カバー（１）は、前記下懸架片（７）の下面に沿って延びるとともに両端部が、前記下懸架片（７）の両端部に固着されたチューブ状ゴム材（１７）を設けたことを特徴とする。
【００１４】
なお、括弧内の記号は、図面および後述する発明の実施の形態に記載された対応要素または対応事項を示す。
【発明の効果】
【００１５】
本発明の請求項１に記載のエアコン洗浄用カバーによれば、少なくとも、洗浄液が後面開口部から飛散するのを防止することはもとより、わずかな漏出も確実に阻止することができる。すなわち、コ字状枠片の前片と上片との上側コーナー部及び前片と下片との下側コーナー部はそれぞれ蝶番を介して略コ字状の開口部を開閉自在で、洗浄用カバーをエアコンを被せた状態で、連結部材で左右上片の端部寄りの部位と左右下片の端部寄りの部位とを連結することによって、上懸架片をエアコンの後端上部に密着させると共に、同じく下懸架片を後端下部又は底面に密着させることができるため、両者の間には間隙が形成されない。よって、洗浄液の漏出が確実に阻止される。
したがって、エアコンの洗浄として高圧水をかけることができるので、汚れの激しい部分、例えば、ドレイン（受け皿）であっても確実に洗浄することができる。
また、蝶番を介して上片及び下片を前片に対して開口部を小さくする内側に向けて折りたたみ可能であるので、エアコン洗浄用カバー全体のコンパクト化が図れ、持ち運びに便利である。
【００１６】
また、請求項２に記載の発明によれば、請求項１に記載の発明の作用効果に加えて、上片及び下片の長さを前片の長さよりも小さくするので、エアコン洗浄用カバーを十分小さく折りたたむことができる。
【００１７】
さらに、請求項３に記載の発明によれば、請求項１または２に記載の発明の作用効果に加えて、連結部材を、紐本体に留め部が設けられた係止紐片と、留め部を係止する孔が複数形成された留め具とで構成したので連結をワンタッチで簡単に行うことができる。
【００１８】
また、請求項４に記載の発明によれば、請求項１乃至３に記載の発明の作用効果に加えて、係止紐片をゴム紐とし、留め具を開口部が内側に向けて形成された断面略コ字状で、留め部を係止する孔を下壁部から側壁部にかけて略Ｌ字状に切り欠き下片の延びる方向に所定間隔で複数形成したので、係止紐片を外側から孔に入れ、その孔に留め具を係止させることで簡単にエアコンに対する密着性を高めた状態での取付けが可能となる。
このとき、エアコンに対するエアコン洗浄用カバーの上懸架片及び下懸架片の密着度をさらに一層高めるには、係止紐片の留め部の係止位置を、現在係止された留め具の孔から前側（前片側）に位置する孔に変えることによって行うことができる。また、留め部が係止紐片の上下に沿って複数存在する場合には、係止位置が同じ孔でも係止紐片の留め部を、現在係止された留め部よりも上側（上片側）に位置する留め部に変えることによって密着度を容易に高めることができる。
【００１９】
また、請求項５に記載の発明によれば、請求項１乃至４に記載の発明の作用効果に加えて、二つのコ字状枠片間において、上側コーナー部寄りの部位を連結する支持片を設けたので、枠体の形状を一層安定に保つことができる。
【００２０】
また、請求項６に記載の発明によれば、請求項１乃至５に記載の発明の作用効果に加えて、カバー本体の上面に、開閉自在の第２洗浄窓を設けたので、例えば、エアコンの熱交換器が前方にある場合に限らず、上部にも熱交換器を有する最近のエアコンに対してもカバー本体の上面からエアコンの洗浄として高圧水をかけることができるので便利である。
【００２１】
また、請求項７に記載の発明によれば、請求項１乃至６に記載の発明の作用効果に加えて、下懸架片の下面に沿って延びるとともに両端部が、前記下懸架片の両端部に固着されたチューブ状ゴム材を設けたので、そのゴム材にタオルなどを引っ掛けて水のしたたりを拭うことができる。
【発明を実施するための最良の形態】
【００２２】
図１乃至図３を参照して、本発明の実施形態に係るエアコン洗浄用カバー１について説明する。図１は、エアコン洗浄用カバー１を示す斜視図であり、図２は、その側面図である。また図３は、図１に示すエアコン洗浄用カバー１を折りたたんだ状況を示す側面図である。
【００２３】
本発明の実施形態に係るエアコン洗浄用カバー１は、壁等に取付けられたエアコンＡを洗浄する際に、そのエアコンＡに被せて使用し、洗浄剤の飛散を防止するカバーであり、枠体３とビニールシート８とで構成されるカバー本体２を備えている。
【００２４】
枠体３は、前片４ａと上片４ｂと下片４ｃとで略コ字状に構成されたコ字状枠片４を二つ一定間隔を開けて左右に並列設し、二つのコ字状枠片４の上片４ｂ端部間に上懸架片６を懸架し、かつ二つのコ字状枠片４の下片４ｃ端部間に下懸架片７を懸架することによって形成されている。
コ字状枠片４の、前片４ａと上片４ｂは蝶番５ａで連結され、前片４ａと下片４ｃも別の蝶番５ｂで連結されている。これによって、前片４ａと上片４ｂとの上側コーナー部及び前片４ａと下片４ｃとの下側コーナー部はそれぞれ蝶番５ａ，５ｂを介して略コ字状の開口部を開閉自在になるようにしてあり、図３に示すように、上片４ｂ及び下片４ｃを前片４ａに対して開口部を小さくする方向となる内側に向けて折りたたみ可能としている。なお、上片４ｂ及び下片４ｃの長さを前片４ａの長さよりも小さくして折りたたみを容易にしている。また、さらに十分折りたためるように、前片４ａの長さに対して、上片４ｂ及び下片４ｃの長さをさらに小さくしたり、あるいは、本実施形態では内側に設けた蝶番５ａ，５ｂを外側に設けるようにしてもよい。また、内側に突出した上懸架片６の下端部及び下懸架片７の上端部を切り取り、上懸架片６及び下懸架片７を板状（断面直線状）にしてもよい。
【００２５】
エアコン洗浄用カバー１をエアコンＡに被せて使用するとき、上懸架片６は、断面Ｌ字状で、エアコンＡの壁側に位置する後端上部コーナー部に接するようになっている。また、下懸架片７は、断面Ｌ字状で、エアコンＡの後端下部コーナー部（エアコンＡの底面であってもよい）に接するようになっている。なお、特に限定されるものではないが、コ字状枠片４は、軽量化及び強度の面から、蝶番５ａ，５ｂを除いてアルミニウム製であり、また、上懸架片６と下懸架片７はアルミニウム製のアングル材で形成している。
【００２６】
また、枠体３は、その開口部側である後面を除いて透明のビニールシート８で覆われ、ビニールシート８の前面には洗浄窓９が形成され、下面には排出口１０が設けられている。枠体３とビニールシート８によってカバー本体２を構成している。ビニールシート８は、材質の強化を図るために、いわゆる糸入りのものを使用している。
【００２７】
また、コ字状枠片４の上片４ｂの端部寄りの部位からは、紐本体１２ａに留め部１２ｂを設けて構成した係止紐片１２を垂下設し、下片４ｃの下面には係止紐片１２の留め部１２ｂを係止する孔１３ａが下片４ｃの延びる方向に複数形成された留め具１３を設けている。これら連結部材１２，１３によって左右上片４ｂの端部寄りの部位と左右下片４ｃの端部寄りの部位をそれぞれ連結して、略コ字状の開口部を所定の開度で保持するようになっている。
この留め部１２ｂは、例えば、ゴム紐からなる紐本体１２ａに一定間隔毎に結び目を形成することによって構成しているが、紐本体１２ａに昇降動自在で固定可能な係止具１２ｃを取付けて構成することもできる（図５参照）。すなわち、コ字状枠片４の上片４ｂの左右両側端部と下片４ｃの左右両側端部とをそれぞれ連結する部材であればよい。
一方、留め具１３は、図１において拡大して示したように、下片４ｃの下面に固定された上壁部１３ｂと、下壁部１３ｄと、上下壁部１３ｂ，１３ｄを連結する側壁部１３ｃからなり開口部が内側に向けて形成された断面略コ字状で、留め部１２ｂを係止する孔１３ａは、下壁部１３ｄから側壁部１３ｃにかけて略Ｌ字状に切り欠いて形成され、しかも下片４ｃの延びる方向に所定間隔で複数（本実施形態では一定の間隔で７個）形成されてなる。
【００２８】
なお、本実施形態においては、カバー本体２の後端部上面から、エアコンＡの上面に到達する長さで左右に延びる上端シール片１４を、ビニールシート８に連続して設けている。また、下懸架片７の上端部に、エアコンＡの後端下部コーナー部に密着するシールパッキンや、カバー本体２の後端部下面に、エアコンＡの底面に密着するスポンジ片を設けることもできる。
【００２９】
また、上側コーナー部寄りの部位において、左右二つのコ字状枠片４間を支持片１５，１６で連結している。支持片１５は、左右上片４ｂ間において上側コーナー部寄りの部位を連結し、支持片１６は、左右前片４ａ間において、上側コーナー部寄りの部位を連結している。支持片１５，１６を設けることによって、枠体３の形状が一層安定に保たれる。支持片の数は一本でも複数でもよいが、複数の方がより安定的である。
また、下懸架片７の下面に、下懸架片７に沿って延びるとともに両端部が、下懸架片７の両端部に固着されたチューブ状ゴム材１７を設けている。このゴム材１７と下懸架片７の下面との間にタオルなどを引っ掛けて水のしたたりを拭うことができるようになっている。
【００３０】
また、洗浄窓９は、前面のビニールシート８を二枚重ねにしてその間に設けている。すなわち、中央のシート片８ａの両側面部の上に側面のシート片８ｂ，８ｃを重ねるように配置して、シート片８ａとシート片８ｂの間及びシート片８ａとシート片８ｃの間に洗浄窓９を形成している。なお、洗浄窓９の形成方法は、様々であり、例えば、縦割り孔を形成し、その縦割り孔の後方に、別体の覆いシート片を、カバー本体の上面からのれん状に垂下設することによって構成するようにしてもよい。
【００３１】
本実施形態に係るエアコン洗浄用カバー１を、エアコンＡを洗浄するに当たって、前面カバーを取除いたエアコンＡに被せるには、係止紐片１２の留め部１２ｂを留め具１３から外した状態で、蝶番５ａ，５ｂを介して上片４ｂと下片ｃを揺動させて上懸架片６をエアコンＡの後端上部コーナー部に当接させると共に下懸架片７を後端下部コーナー部に当接させ、この状態を維持するために係止紐片１２の留め部１２ｂを留め具１３の孔１３ａに係止させる。この状態では、上端シール片１４がエアコンＡの後端部上面に密着する。また、チューブ状ゴム材１７と下懸架片７の下面との間にタオルを引っ掛けて水のしたたりを拭う準備をする。
このとき、エアコンＡに対するエアコン洗浄用カバー１の上懸架片６及び下懸架片７の密着度をさらに一層高めるには、係止紐片１２の留め部１２ｂの係止位置を、現在係止された留め具１３の孔１３ａから前側（前片４ａ側）に位置する孔１３ａに変えるか、あるいは、同じ孔１３ａでも係止紐片１２の留め部１２ｂを、現在係止された留め部１２ｂよりも上側（上片４ｂ側）に位置する留め部１２ｂに変えることによって容易に行うことができる。
【００３２】
この洗浄用カバー１をエアコンＡに取付けた後、左右２つの洗浄窓９から手を挿入して（手の挿入方向は、図１に示す矢印Ｙの方向）エアコンＡ内部等に洗浄液を勢い良く吹き付けて汚れを落とす。この際、洗浄液は洗浄用カバー１内で飛散するが、上懸架片６および下懸架片７がエアコンＡの後端上部コーナー部および後端下部コーナー部に密着し、また、上端シール片１４がエアコンＡに密着しているので、洗浄液の後面開口部１１からの飛散および漏出が確実に阻止される。
これによれば、エアコンの洗浄として高圧水をかけることができるので、汚れの激しい部分、例えば、ドレイン（受け皿）であっても確実に洗浄することができる。
【００３３】
また、洗浄窓９については、前面のビニールシート８を二枚重ねにしてその間に設けているので、洗浄窓９から洗浄液が飛散したり漏出することが防止される。なお、洗浄液は、汚れと共に排出口１０から排水ホース２０を経由して排出される。
【００３４】
そして、エアコンＡの洗浄が完了すると、係止紐片１２の留め部１２ｂを留め具１３から外し、蝶番５ａ，５ｂを介して上片４ｂと下片ｃを前片４ａに対して内側に、すなわち、図３に示すように、開口部を小さくするように、先ず、上片４ｂを折りたたみ前片４ａに重ね、その後、下片４ｃを折りたたみ上片４ｂに重ねる。
これによって、エアコン洗浄用カバー１のコンパクト化が図られるので、持ち運びが便利となる。
【００３５】
図４に本発明に係るエアコン洗浄用カバー１の他の実施形態を示す。この実施形態においては、カバー本体２の上面に、開閉自在の第２洗浄窓１９を設けたものである。すなわち、上面のシート片８ｄを両面テープＴを介して支持片１５の上に装着し、開放時には、図４に示すように、シート片８ｄを支持片１５から離して上側に上げるようにする。
これによれば、エアコンＡの熱交換器が前方にある場合に限らず、上部にも熱交換器を有する最近のエアコンに対してもカバー本体２の上面からエアコンＡの洗浄として高圧水をかけることができるので便利である。
【図面の簡単な説明】
【００３６】
【図１】本発明の実施形態に係るエアコン洗浄用カバーを示す斜視図である。
【図２】図１に示すエアコン洗浄用カバーの側面図である。
【図３】図１に示すエアコン洗浄用カバーを折りたたんだ状況を示す側面図である。
【図４】本発明の他の実施形態に係るエアコン洗浄用カバーを示す斜視図である。
【図５】本発明において、係止紐片の他の実施形態を示す側面図である。
【図６】従来例に係る洗浄シートを示す側面断面図である。
【符号の説明】
【００３７】
１    エアコン洗浄用カバー
２    カバー本体
３    枠体
４    コ字状枠片
４ａ  前片
４ｂ  上片
４ｃ  下片
５ａ  蝶番
５ｂ  蝶番
６    上懸架片
７    下懸架片
８    ビニールシート
８ａ  シート片
８ｂ  シート片
８ｃ  シート片
８ｄ  シート片
９    洗浄窓
１０    排出口
１１    後面開口部
１２    係止紐片
１２ａ  紐本体
１２ｂ  留め部
１２ｃ  係止具
１３    留め具
１３ａ  孔
１３ｂ  上壁部
１３ｃ  側壁部
１３ｄ  下壁部
１４    上端シール片
１５    支持片
１６    支持片
１７    チューブ状ゴム材
１９    第２洗浄窓
２０    排水ホース
２１    防散シート
３０    洗浄シート
３１    作業窓
３２    後面解放部
３３    排出穴
３４    紐
３５    カバーシート
Ａ    エアコン
Ｔ    両面テープ
【図１】
2008151365.tif 000003
【図２】
2008151365.tif 000004
【図３】
2008151365.tif 000005
【図４】
2008151365.tif 000006
【図５】
2008151365.tif 000007
【図６】
2008151365.tif 000008